(57)【特許請求の範囲】
【請求項１】
モバイル端末（５０）および複数の空調機器（１０）に通信回線を介して接続されたサーバであって、
複数の前記空調機器（１０）が設置される空間を示す空間情報と、前記空間における複数の前記空調機器（１０）の設置位置を示すレイアウト情報と、を含む据付位置データを記憶する記憶部（４２）と、
前記モバイル端末（５０）から前記据付位置データの送信の要求、および、前記据付位置データ上の複数の前記空調機器（１０）のうちの第１の前記空調機器（１０）の設置位置確認の信号、を受信する受信部（４３ａ）と、
前記据付位置データの送信の要求を受信したときに、前記据付位置データを前記記憶部（４２）から読み出して前記モバイル端末（５０）に送信する送信部（４３ｂ）と、
前記モバイル端末（５０）から前記設置位置確認の信号を受信したときに、第１の前記空調機器（１０）のアクチュエータ（１４）を駆動させる制御演算部（４１）と、
を備え、
第１の前記空調機器（１０）の前記アクチュエータ（１４）が駆動した場合、前記設置位置が正しい旨の情報を、前記モバイル端末（５０）を介して入力させる、
サーバ。
【請求項２】
前記制御演算部（４１）は、前記空調機器（１０）の前記アクチュエータ（１４）のうち視覚的に、又は体感的に動作しているかどうかを認識できるものを駆動させる、
請求項１に記載のサーバ。
【請求項３】
前記制御演算部（４１）は、前記モバイル端末（５０）から所定の操作を受信したとき、前記アクチュエータ（１４）を順次自動的に駆動させる、
請求項１または２に記載のサーバ。
【請求項４】
前記受信部（４３ａ）は、前記モバイル端末（５０）から前記据付位置データの確認結果を示す信号を受信する、
請求項１から３のいずれか１項に記載のサーバ。
【請求項５】
複数の空調機器（１０）の据付位置確認作業を支援する、据付位置確認支援システム（１００）であって、
モバイル端末（５０）と、管理装置と、を備え、
前記管理装置は、
前記モバイル端末（５０）および複数の前記空調機器（１０）と通信可能であって、
前記空調機器（１０）が設置される空間を示す空間情報、および、前記空間における複数の前記空調機器（１０）の設置位置を示すレイアウト情報、を含む据付位置データを記憶する記憶部（４２）と、
前記モバイル端末（５０）から前記据付位置データの送信の要求、および、前記据付位置データ上の前記空調機器（１０）の少なくとも１台における設置位置確認の信号、を受信する受信部（４３ａ）と、
前記モバイル端末（５０）に対して前記据付位置データを送信する送信部（４３ｂ）と、
前記空調機器（１０）のアクチュエータ（１４）を駆動させる制御演算部（４１）と、
を有し、
前記モバイル端末（５０）は、前記据付位置データを表示する表示部（５３）を有し、
前記モバイル端末（５０）は、前記据付位置データに基づいて、前記据付位置確認作業の対象となる前記空調機器（１０）を操作する指示を前記管理装置に送信し、
前記管理装置は、前記指示を受信したときに、前記管理装置の前記記憶部（４２）に記憶されている前記空調機器（１０）に関するデータを参照し、前記制御演算部（４１）が指示の対象となる前記空調機器（１０）の前記アクチュエータ（１４）を駆動させ、
対象となる前記空調機器（１０）の前記アクチュエータ（１４）が駆動した場合、前記設置位置が正しい旨の情報を、前記モバイル端末（５０）に入力させる、
据付位置確認支援システム（１００）。
【請求項６】
前記制御演算部（４１）は、前記空調機器（１０）の前記アクチュエータ（１４）のうち視覚的に、又は体感的に動作しているかどうかを認識できるものを駆動させる、
請求項５に記載の据付位置確認支援システム（１００）。
【請求項７】
前記制御演算部（４１）は、前記モバイル端末（５０）から所定の操作を受信したとき、前記アクチュエータ（１４）を順次自動的に駆動させる、
請求項５または６に記載の据付位置確認支援システム（１００）。
【請求項８】
前記受信部（４３ａ）は、前記モバイル端末（５０）から前記据付位置データの確認結果を示す信号を受信する、
請求項５〜７のいずれか１項に記載の据付位置確認支援システム（１００）。
【請求項９】
モバイル端末（５０）および複数の空調機器（１０）と通信可能であり、記憶部を有する管理装置に用いられる、複数の前記空調機器（１０）の据付位置確認作業を支援するプログラムであって、
前記モバイル端末（５０）から、複数の前記空調機器（１０）が設置される空間を示す空間情報と、前記空間における複数の前記空調機器（１０）の設置位置を示すレイアウト情報と、を含む据付位置データの送信の要求を受信する受信ステップ（ＳＴ１）と、
前記据付位置データの送信の要求に応じて、前記記憶部から前記据付位置データを読み出す読み出しステップ（ＳＴ２）と、
前記据付位置データを前記モバイル端末（５０）に送信する前記据付位置データ送信ステップ（ＳＴ３）と、
複数の前記空調機器（１０）のうちの第１の前記空調機器（１０）の設置位置確認を開始する信号を前記モバイル端末（５０）から受信する設置位置確認信号受信ステップ（ＳＴ６）と、
第１の前記空調機器（１０）のアクチュエータ（１４）を駆動させる駆動信号を前記管理装置から第１の前記空調機器（１０）に送信する駆動信号送信ステップ（ＳＴ９，ＳＴ１０）と、
第１の前記空調機器（１０）のアクチュエータ（１４）が駆動した場合、前記設置位置が正しい旨の情報を、前記モバイル端末（５０）に入力させる入力ステップ（ＳＴ１１）と、
を実行させる、
据付位置確認支援プログラム。
【請求項１０】
前記駆動信号送信ステップでは、前記空調機器（１０）の前記アクチュエータのうち視覚的に、又は体感的に動作しているかどうかを認識できるものを駆動させる、
請求項９に記載の据付位置確認支援プログラム。
【請求項１１】
第１の前記空調機器（１０）の前記据付位置データの確認結果を示す信号を前記モバイル端末（５０）から受信する確認結果受信ステップ（ＳＴ１２，ＳＴ１５）
をさらに実行させる、
請求項９または１０に記載の据付位置確認支援プログラム。
【請求項１２】
管理装置が記憶している空調機器（１０）の据付位置データと、前記空調機器（１０）の実際の据付位置と、が一致しているかどうかを確認する据付位置確認方法であって、
モバイル端末（５０）が、前記管理装置から前記据付位置データを取得する取得ステップ（ＳＴ３）と、
前記モバイル端末（５０）の表示部（５３）に表示された前記据付位置データに基づいて、前記据付位置確認作業の対象となる前記空調機器（１０）を駆動させる駆動ステップ（ＳＴ１０）と、
前記駆動ステップ（ＳＴ１０）に基づいて、対象となる前記空調機器（１０）が駆動した場合、前記据付位置が正しい旨の情報を、前記モバイル端末（５０）に入力させる入力ステップ（ＳＴ１１）と、
を備える、
据付位置確認支援方法。
【請求項１３】
前記駆動ステップ（ＳＴ１０）に基づいて、対象となる前記空調機器（１０）以外の空調機器が駆動した場合、前記管理装置が記憶している前記据付位置データを更新する更新ステップ（ＳＴ１６）と、
をさらに備える、
請求項１２に記載の据付位置確認支援方法。
【発明の詳細な説明】
【技術分野】
【０００１】
据付位置確認支援システムに関する。
【背景技術】
【０００２】
空調機器が施工されると、集中コントローラが記憶している複数の空調機器の据付位置データと、空調機器の実際の据付位置と、が一致しているかどうかを確認する据付位置確認作業が行われる。
【０００３】
従来、特許文献１（特開平９−２１０４２９号公報）のように、複数の作業者によって行われる据付位置確認作業は、作業を完了するために多くの工数が必要である。
【発明の概要】
【発明が解決しようとする課題】
【０００４】
据付位置確認作業を完了するために必要な工数を抑制する。
【課題を解決するための手段】
【０００５】
第１観点のサーバは、モバイル端末および複数の空調機器に通信回線を介して接続されている。サーバは、モバイル端末および複数の空調機器と通信可能である。サーバは、記憶部と、受信部と、送信部と、制御演算部と、を備える。記憶部は、複数の空調機器が設置される空間を示す空間情報と、空間における複数の空調機器の設置位置を示すレイアウト情報と、を含む据付位置データを記憶する。受信部は、モバイル端末から据付位置データの送信の要求、および、据付位置データ上の複数の空調機器のうちの第１の空調機器の設置位置確認の信号、を受信する。送信部は、据付位置データの送信の要求を受信したときに、据付位置データを記憶部から読み出してモバイル端末に送信する。制御演算部は、モバイル端末から設置位置確認の信号を受信したときに、第１の空調機器のアクチュエータを駆動させる。
【０００６】
これによって、据付位置確認作業を完了するために必要な工数を抑制することが可能である。
【０００７】
第２観点の据付位置確認支援システムは、第１観点のシステムであって、制御演算部は、空調機器のアクチュエータのうち視覚的に、又は体感的に動作しているかどうかを認識できるものを駆動させる。
【０００８】
これによって、作業者が据付位置確認作業を効率よく行うことができる。
【０００９】
第３観点の据付位置確認支援システムは、第１観点又は第２観点のシステムであって、制御演算部は、モバイル端末から所定の操作を受信したとき、アクチュエータを順次自動的に駆動させる。
【００１０】
これによって、作業者は、作業工程を削減することが可能である。
【００１１】
第４観点の据付位置確認支援システムは、第１観点から第３観点のいずれかのシステムであって、受信部は、モバイル端末から据付位置データの確認結果を示す信号を受信する。
【００１２】
第５観点の据付位置確認支援システムは、複数の空調機器の据付位置確認作業を支援するシステムである。据付位置確認支援システムは、モバイル端末と、管理装置と、を備える。管理装置は、モバイル端末および複数の空調機器と通信可能である。管理装置は、記憶部と、受信部と、送信部と、制御演算部と、を有す。記憶部は、空調機器が設置される空間を示す情報、および、空間における複数の空調機器の設置位置を示すレイアウト情報、を含む据付位置データを記憶する。受信部は、モバイル端末から据付位置データの送信の要求、および、据付位置データ上の空調機器の少なくとも１台における設置位置確認の信号、を受信する。送信部は、モバイル端末に対して据付位置データを送信する。制御演算部は、空調機器のアクチュエータを駆動させる。モバイル端末は、据付位置データを表示する表示部を有す。モバイル端末は、据付位置データに基づいて、据付位置確認作業の対象となる空調機器を操作する指示を管理装置に送信する。管理装置は、指示を受信したときに、管理装置の記憶部に記憶されている空調機器に関するデータを参照し、制御演算部が指示の対象となる空調機器のアクチュエータを駆動させる。
【００１３】
これによって、据付位置確認作業を完了するために必要な工数を抑制することが可能である。
【００１４】
第６観点の据付位置確認支援システムは、第５観点のシステムであって、制御演算部は、空調機器のアクチュエータのうち視覚的に、又は体感的に動作しているかどうかを認識できるものを駆動させる。
【００１５】
これによって、据付位置データと、空調機器の実際の据付位置と、が一致しているかどうかを確認する事が容易になる。
【００１６】
第７観点の据付位置確認支援システムは、第５観点又は第６観点のシステムであって、記制御演算部は、モバイル端末から所定の操作を受信したとき、アクチュエータを順次自動的に駆動させる。
【００１７】
これによって、作業者は、作業工程を削減することが可能である。
【００１８】
第８観点の据付位置確認支援システムは、第５観点から第７観点のいずれかのシステムであって、受信部は、モバイル端末から据付位置データの確認結果を示す信号を受信する。
【００１９】
第９観点の据付位置確認支援プログラムは、モバイル端末および複数の空調機器と通信可能である。据付位置確認支援プログラムは、記憶部を有する管理装置に用いられるプログラムであって、複数の空調機器の据付位置確認作業を支援する。据付位置確認支援プログラムは、受信ステップと、読み出しステップと、据付位置データ送信ステップと、設置位置受信ステップと、駆動信号送信ステップと、を実行させる。受信ステップは、モバイル端末から、据付位置データの送信の要求を受信する。据付位置データは、複数の空調機器が設置される空間を示す空間情報と、空間における複数の空調機器の設置位置を示すレイアウト情報と、を含む。読み出しステップは、据付位置データの送信の要求に応じて、記憶部から据付位置データを読み出す。据付位置データ送信ステップは、据付位置データをモバイル端末に送信する。設置位置確認信号受信ステップは、複数の空調機器のうちの第１の空調機器を設置位置確認の信号をモバイル端末から受信する。駆動信号送信ステップは、第１の空調機器のアクチュエータを駆動させる駆動信号をモバイル端末に送信する。
【００２０】
これによって、据付位置確認支援プログラムは、据付位置確認作業を完了するために必要な工数を抑制することに寄与する。
【００２１】
第１０観点の据付位置確認支援プログラムは、第９観点のプログラムであって、駆動信号送信ステップでは、空調機器のアクチュエータのうち視覚的に、又は体感的に動作しているかどうかを認識できるものを駆動させる。
【００２２】
これによって、作業者が据付位置確認作業を効率よく行うことができる。
【００２３】
第１１観点の据付位置確認支援プログラムは、第９観点又は第１０観点のプログラムであって、確認結果受信ステップをさらに実行させる。据付位置確認支援プログラムは、第１の空調機器の据付位置データの確認結果を示す信号をモバイル端末から受信する。
【００２４】
第１２観点の据付位置確認支援方法は、管理装置が記憶している空調機器の据付位置データと、空調機器の実際の据付位置と、が一致しているかどうかを確認する据付位置確認方法である。据付位置確認支援方法は、取得ステップと、駆動ステップと、を備える。取得ステップは、モバイル端末が、管理装置から据付位置データを取得する。駆動ステップは、モバイル端末の表示部に表示された据付位置データに基づいて、据付位置確認作業の対象となる空調機器を駆動させる。
【００２５】
これによって、据付位置確認作業を完了するために必要な工数を抑制することが可能である。
【００２６】
第１３観点の据付位置確認支援方法は、第１２観点の据付位置確認支援方法であって、入力ステップをさらに備える。入力ステップは、駆動ステップに基づいて、対象となる空調機器が作動した場合、据付位置が正しい旨の情報を入力する。
【００２７】
第１４観点の据付位置確認支援方法は、第１３観点の据付位置確認支援方法であって、更新ステップをさらに備える。更新ステップは、操作ステップに基づいて、対象となる空調機器以外の空調機器が駆動した場合、管理装置が記憶している据付位置データを更新する。
【図面の簡単な説明】
【００２８】
【図１】据付位置確認支援システムの模式図である。
【図２】据付位置確認支援システムの概略構成図である。
【図３】据付位置データの一例である。
【図４】据付位置データの一例である。
【図５】モバイル端末の処理の流れを示すフローチャートである。
【図６】モバイル端末の処理の流れを示すフローチャートである。
【図７】変形例における据付位置確認支援システムの模式図である。
【発明を実施するための形態】
【００２９】
以下、本開示の一実施形態に係る、据付位置確認支援システム１００（以下、支援システム１００）について説明する。なお、以下の実施形態は、具体例であって、技術的範囲を限定するものではなく、趣旨を逸脱しない範囲で適宜変更可能である。
【００３０】
（１）概要
図１に示す、支援システム１００は、据付位置確認作業（以下、確認作業）を行う作業者を支援するシステムである。確認作業は、管理装置が記憶している空調機器１０の据付位置データと、空調機器１０の実際の据付位置と、が一致しているか否かを確認する作業である。確認作業は、空間αにおいて設置された空調機器１０の通信配線の接続、管理装置への初期設定作業、等が完了した後に行われる。ここで、空間αは、物件βの内部の任意のエリアである。物件βは複数の空間α（空間α１，空間α２）を含んでいてもよい。
【００３１】
本実施形態においては、すでに空調機器１０が空間αに設置され、通信配線の接続が完了しているものとする。また、管理装置において、空間αに設置された複数の空調機器１０の初期設定作業が完了しており、空調機器１０に関する情報が記憶されているものとする。空調機器１０に関する情報には、空間αにおける空調機器１０の据付位置データが含まれる。
【００３２】
支援システム１００は、主として、空間αに設置される複数の空調機器１０と、作業者によって携帯されるモバイル端末５０と、管理装置と、を備える。管理装置は、空間αを含む物件βの内部に設置された集中コントローラ２０、及び物件βの内部に設置されたルータ３０、及び、物件βの外部に設置されたサーバ４０、を含む。本実施形態においてサーバ４０は、クラウドであってもよい。なお、本実施形態において、空調機器１０、集中コントローラ２０、ルータ３０、及びモバイル端末５０の数は特に限定されるものではない。
【００３３】
支援システム１００に含まれる、複数の空調機器１０、集中コントローラ２０、ルータ３０、サーバ４０、及び、モバイル端末５０は、インターネット等の通信ネットワークＮＷを介して接続されている。
【００３４】
図２は、支援システム１００の概略構成図である。以下、支援システム１００の各構成について説明する。
【００３５】
（２）空調機器１０
確認作業の対象である空調機器１０は、例えば、空間αに設置される空気調和装置の室内機である。空気調和装置の室内機は、主に、空間αの冷房／暖房等を行う機器である。なお、確認作業の対象である空調機器１０は、換気装置等であってもよい。本実施形態におおける空調機器１０は、作業者等によって空間αに設置され、通信配線の接続、管理装置への初期設定作業、等の作業が完了している。
【００３６】
空調機器１０は、制御演算部１１と、記憶部１２と、通信部１３と、アクチュエータ１４と、を備える。制御演算部１１には、ＣＰＵ又はＧＰＵといったプロセッサを使用できる。制御演算部１１は、記憶部１２に記憶されているプログラムを読み出し、このプログラムに従って所定の演算処理を行う。さらに、制御演算部１１は、プログラムに従って、演算結果を記憶部１２に書き込んだり、記憶部１２に記憶されている情報を読み出したりすることができる。
【００３７】
通信部１３は、通信線を介して集中コントローラ２０に接続されるインターフェースを備え、各種情報の送受信を行う。
【００３８】
空調機器１０は、通信線を介して集中コントローラ２０に接続される。空調機器１０は、通信ネットワークＮＷを介してサーバ４０およびモバイル端末５０に接続される。空調機器１０の制御演算部１１は、通信ネットワークＮＷを介して各種指示を受信し、受信した指示に基づいた動作を行う。指示は、例えば、サーバ４０から送信される空調指示である。空調機器１０の制御演算部１１は、サーバ４０から送信された空調指示に基づいて、空間αの冷房／暖房等を行う。また、指示は、例えば、モバイル端末５０から送信される確認作業における確認指示である。確認指示は、確認作業を行うために空調機器１０のアクチュエータ１４を動作させる指示である。
【００３９】
ここで、アクチュエータ１４は、確認指示に基づいて動作したときに、作業者が体感的あるいは視覚的に動作しているかどうかを認識できるものであることが好ましい。アクチュエータ１４は、例えば、空調機器１０に含まれるファン、又は、フラップ等である。
【００４０】
なお、空調機器１０の制御演算部１１は、確認指示に基づいてアクチュエータ１４のみを動作させるのではなく空間αの、冷房／暖房運転を行ってもよい。確認指示に基づいて空調機器１０が行う動作の内容は、作業者等によって任意で決定されてもよい。
【００４１】
（３）集中コントローラ２０
集中コントローラ２０は、コンピュータにより実現されるものである。集中コントローラ２０は、制御演算部２１と、記憶部２２と、通信部２３と、を備える。
【００４２】
制御演算部２１には、ＣＰＵ又はＧＰＵといったプロセッサを使用できる。制御演算部２１は、記憶部２２に記憶されているプログラムを読み出し、このプログラムに従って所定の演算処理を行う。さらに、制御演算部２１は、プログラムに従って、演算結果を記憶部２２に書き込んだり、記憶部２２に記憶されている情報を読み出したりすることができる。
【００４３】
記憶部２２の例としては、ＨＤＤ（Ｈａｒｄ Ｄｉｓｋ  Ｄｒｉｖｅ）、ＳＳＤ（Ｓｏｌｉｄ  Ｓｔａｔｅ  Ｄｒｉｖｅ）、不揮発性メモリ等が挙げられる。
【００４４】
通信部２３は、通信線を介して各空調機器１０に接続されるインターフェース、又は、有線ＬＡＮ通信等を介してルータ３０に接続されるインターフェース、を備え、各種情報の送受信を行う。
【００４５】
（４）ルータ３０
ルータ３０は、コンピュータにより実現されるものである。ルータ３０は、制御演算部３１と、記憶部３２と、通信部３３と、を備える。
【００４６】
制御演算部３１には、ＣＰＵ又はＧＰＵといったプロセッサを使用できる。制御演算部３１は、記憶部３２に記憶されているプログラムを読み出し、このプログラムに従って所定の演算処理を行う。さらに、制御演算部３１は、プログラムに従って、演算結果を記憶部３２に書き込んだり、記憶部３２に記憶されている情報を読み出したりすることができる。
【００４７】
記憶部３２の例としては、ＨＤＤ（Ｈａｒｄ Ｄｉｓｋ  Ｄｒｉｖｅ）、ＳＳＤ（Ｓｏｌｉｄ  Ｓｔａｔｅ  Ｄｒｉｖｅ）、不揮発性メモリ等が挙げられる。
【００４８】
通信部３３は、有線ＬＡＮ通信を介して集中コントローラ２０に接続されるインターフェースを備え、各種情報の送受信を行う。
【００４９】
（５）サーバ４０
サーバ４０は、空調機器１０の管理等を行う装置であって、コンピュータにより実現されるものである。サーバ４０は、制御演算部４１と、記憶部４２と、通信部４３と、を備える。
【００５０】
制御演算部４１には、ＣＰＵ又はＧＰＵといったプロセッサを使用できる。制御演算部４１は、記憶部４２に記憶されているプログラムを読み出し、このプログラムに従って所定の演算処理を行う。さらに、制御演算部４１は、プログラムに従って、演算結果を記憶部４２に書き込んだり、記憶部４２に記憶されている情報を読み出したりすることができる。
【００５１】
記憶部４２は、空調機器１０の初期設定作業等によって登録された空調機器１０に関する情報と、据付位置データと、が記憶されている。
【００５２】
空調機器１０に関する情報には、空調機器１０の識別情報が記憶されている。空調機器１０の識別情報は、例えば、空調機器１０の名称、機種、型番、ＭＡＣアドレス、等を含む。また、空調機器１０に関する情報には、空調機器１０の識別情報以外に空調機器１０の容量、能力等の情報が含まれていてもよい。
【００５３】
据付位置データは、空調機器１０が設置される空間を示す空間情報と、空間情報における空調機器１０の設置位置を示すレイアウト情報と、を含む。空間情報は、例えば、空調機器１０が設置された物件βの所在、物件βにおける空間αの所在、空間αの図面情報、等である。レイアウト情報は、空間αにおける空調機器１０の配置の情報である。空間情報及びレイアウト情報（据付位置データ）は、図３に示されるように、１つの図面の情報で記憶されていてもよい。
【００５４】
記憶部４２の例としては、ＨＤＤ（Ｈａｒｄ Ｄｉｓｋ  Ｄｒｉｖｅ）、ＳＳＤ（Ｓｏｌｉｄ  Ｓｔａｔｅ  Ｄｒｉｖｅ）、不揮発性メモリ等が挙げられる。
【００５５】
通信部（送受信部）４３は、通信ネットワークＮＷを介してルータ３０に接続されるインターフェースと、通信ネットワークＮＷを介してモバイル端末５０に接続されるインターフェースを備えている。通信部４３は、各種情報を送信する送信部４３ａ、又は、各種情報を受信する受信部４３ｂ、として機能する。サーバ４０及びモバイル端末５０を接続する通信ネットワークＮＷは、例えば無線のＷＡＮ通信である。
【００５６】
（６）モバイル端末５０
モバイル端末５０は、制御演算部５１、記憶部５２、表示部５３、入力部５４、及び通信部５６、を備える。
【００５７】
制御演算部５１には、ＣＰＵ又はＧＰＵといったプロセッサを使用できる。制御演算部５１は、記憶部５２に記憶されているプログラムを読み出し、このプログラムに従って所定の演算処理を行う。さらに、制御演算部５１は、プログラムに従って、演算結果を記憶部５２に書き込んだり、記憶部５２に記憶されている情報を読み出したりすることができる。なお、このプログラムは、記憶媒体等に記憶された状態で配布されたものであってもよい。
【００５８】
また、モバイル端末５０は、サーバ４０が記憶している据付位置データを取得し、記憶部５２に記憶する。据付位置データは、記憶媒体等を介してモバイル端末５０に入力されてもよいし、通信ネットワークＮＷを介してサーバ４０からダウンロードされたものであってもよい。据付位置データを記憶する方法は特に限定されない。記憶部５２に記憶された据付位置データは、入力部５４に入力された情報に基づいて更新される。なお、記憶部５２は、据付位置データ以外にサーバ４０が記憶している空調機器１０の情報、等を取得し、記憶していてもよい。
【００５９】
記憶部５２の例としては、ＨＤＤ（Ｈａｒｄ Ｄｉｓｋ  Ｄｒｉｖｅ）、ＳＳＤ（Ｓｏｌｉｄ  Ｓｔａｔｅ  Ｄｒｉｖｅ）、不揮発性メモリ等が挙げられる。
【００６０】
制御演算部５１は、記憶部５２に記憶されているプログラムに基づいて実現される機能部としての完了情報生成部５１ａを有する。完了情報生成部５１ａは、サーバ４０に対して送信する情報である完了情報を作成する。完了情報は、空間αに含まれるすべての空調機器１０の確認作業が完了した旨の情報である。完了情報は、通信ネットワークＮＷを介してサーバ４０に送信され、空調機器１０が設置された空間αの情報として記憶される。なお、完了情報には、作業者によって更新された据付位置データが含まれていてもよい。      
【００６１】
表示部５３は、記憶部５２に記憶された据付位置データを表示する。表示部５３は、例えば、タッチパネル等であって、表示部５３として機能すると同時に入力部５４としても機能する。作業者は、表示部５３としてのタッチパネルに表示された据付位置データに基づいて、確認作業を行う。作業者は、入力部５４としてのタッチパネルから確認指示を入力する。作業者は、入力部５４としてのタッチパネルから据付位置が正しい旨の情報を入力部５４としてのタッチパネルに入力する。表示部５３の表示画面、及び、入力部５４の入力画面は、例えば、図３及び図４である。
【００６２】
なお、図３及び図４に示す表示部５３において、表示領域５３ａは、記憶部５２に記憶された据付位置データを表示している。ここで、据付位置データにおいて空調機器１０は、空間α１の図面情報（空間情報）上に、空調機器１０の据付位置（レイアウト情報）を示すアイコンとして表されている。各アイコンには、表示領域５３ｂに表示される空調機器に対応する符号がそれぞれのアイコンに隣接して記されている。なお、図３において「未」のアイコンは、確認作業が未だ完了していないことを示す。表示領域５３ｂは、空間α内に設置された複数の空調機器１０をリストとして表示している。作業者は、表示領域５３ａ、又は、表示領域５３ｂに示される空調機器１０を選択し、所定の情報を入力することが可能である。表示領域５３ｃは、現在表示部５３に表示している据付位置データに関する情報を表示している。図３において表示領域５３ｃには、表示領域５３ａに示されるアイコンの１つまたは表示領域５３ｂに示される機器リストの１つがタッチされたときに、選択された１つの機器と当該機器が設置される位置に関する情報が表示される。
【００６３】
通信部５６は、通信ネットワークＮＷを介してサーバ４０に接続されるインターフェースを備えている。通信部５６は、各種情報を送信する送信部５６ａ、又は、各種情報を受信する受信部５６ｂ、として機能する。
【００６４】
（７）支援システム１００における処理の流れ
以下において、図５，６を参照し、支援システム１００における処理の流れを説明する。図５，６は、支援システム１００における処理の流れを示すフローチャートである。
【００６５】
まず、ステップＳＴ１において、モバイル端末５０は、据付位置データを要求するための信号をサーバ４０に送信する。一方、サーバ４０の制御演算部４１は、モバイル端末５０から据付位置データを要求するための信号を受信する。ここで、据付位置データを要求するための信号には、サーバ４０に送信を要求する据付位置データを特定するための情報が含まれる。
【００６６】
次に、サーバ４０の制御演算部４１は、記憶部４２に記憶されているデータを参照して読み出し（ステップＳＴ２）、受信した信号に対応する据付位置データをモバイル端末５０に送信する。一方、モバイル端末５０は、サーバ４０から据付位置データを受信する（ステップＳＴ３）。
【００６７】
モバイル端末５０の制御演算部５１は、モバイル端末５０の記憶部５２に据付位置データを記憶させるとともに、表示部５３に据付位置データを表示させる（ステップＳＴ４）。表示部５３は、例えば、図３に示されるように据付位置データを表示する。
【００６８】
ステップＳＴ５において、作業者は、モバイル端末５０の表示部５３に表示された据付位置データから１つの空調機器１０の情報を選択する。空調機器１０の情報は、例えば、空調機器１０に対応するアイコンとして表示部５３に表示される。
【００６９】
ステップＳＴ５の操作が行われると、ステップＳＴ６において、モバイル端末５０の制御演算部５１は、作業者が確認作業を開始するか否か選択するための表示を表示部５３に提示させる。
【００７０】
ステップＳＴ６において、作業者が入力部５４を操作することにより確認作業を開始する旨の操作が実行されると、ステップＳＴ７へ進む。作業者が入力部５４を操作しない状態が数分間連続すると本処理を終了する。
【００７１】
ステップＳＴ７において、モバイル端末５０の制御演算部５１は、ステップＳＴ５において作業者が選択した空調機器１０について、設定が正しいか否かを作業者が入力するための表示を表示部５３に提示させる。例えば、表示部５３は図４のように表示を行う。
【００７２】
一方、モバイル端末５０の制御演算部５１は、ステップＳＴ５において選択された空調機器１０の確認作業を開始する旨の情報を、サーバ４０の制御演算部４１に対して送信する（ステップＳＴ８）。サーバ４０の制御演算部４１は、受信部を介して、モバイル端末５０が送信した情報を受信する。
【００７３】
ステップＳＴ９において、サーバ４０の制御演算部４１は、集中コントローラ２０に対して、ステップＳＴ５において選択された空調機器１０の情報に対応する空調機器１０のアクチュエータ１４を動作させる確認指示を送信させるための信号を送信する。一方、集中コントローラ２０は、サーバ４０から信号を受信する。
【００７４】
ステップＳＴ１０において、集中コントローラ２０は、選択された空調機器１０に対して確認指示を送信する。一方、空調機器１０は、集中コントローラ２０から確認指示を受信する。空調機器１０は、集中コントローラ２０からの確認指示に基づいて、アクチュエータ１４を動作させる。
【００７５】
ここで、空調機器１０が空間αにおいて適切な位置に設置され、通信配線の接続が適切に完了している場合、ステップＳＴ５において選択された空調機器１０の情報に対応する空調機器１０のアクチュエータ１４が動作する。
【００７６】
この場合、作業者は、選択された空調機器１０のアクチュエータ１４が動作していることを確認し、ステップＳＴ７におけるモバイル端末５０の表示部５３を介して、設定が正しい旨の情報を入力する（ステップＳＴ１１）。ステップＳＴ１１において、設定が正しい旨の情報が入力されると、ステップＳＴ１２へ進む。ステップＳＴ１１において、設定が誤っている旨の情報が入力されると、ステップＳＴ１５へ進む。
【００７７】
ステップＳＴ１１においてモバイル端末５０に設定が正しい旨の情報を入力されると、モバイル端末５０の制御演算部５１は、サーバ４０の制御演算部４１に対して空調機器１０における確認作業が完了した旨の情報を送信する（ステップＳＴ１２）。サーバ４０の制御演算部４１は、モバイル端末５０から空調機器１０における確認作業が完了した旨の情報を受信する。
【００７８】
ステップＳＴ１３において、サーバ４０の制御演算部４１が確認作業が完了した旨の情報を受信したことをモバイル端末５０の制御演算部５１に送信し、モバイル端末５０の制御演算部５１が受信する。
【００７９】
ステップＳＴ１４において、モバイル端末５０の制御演算部５１は、空調機器１０の確認作業が完了したことを示す情報を表示部５３に表示する。例えば、表示部５３には、図４のように空調機器１０アイコンが、確認作業が完了したことを示す表示として、「済」というアイコンを表示する。
【００８０】
一方で、空調機器１０が空間αにおいて誤った位置に設置されている場合、又は、通信配線の接続が誤って接続されている場合、ステップＳＴ５において選択された空調機器１０の情報に対応する空調機器１０とは『異なる』空調機器１０のアクチュエータ１４が駆動する。
【００８１】
この場合、作業者は、選択された空調機器１０とは『異なる』空調機器１０のアクチュエータ１４が駆動していることを確認し、ステップＳＴ７のモバイル端末５０の表示部５３を介して、設定が誤っている旨の情報を入力する（ステップＳＴ１１）。ステップＳＴ１１において、設定が誤っている旨の情報が入力されると、ステップＳＴ１５へ進む。
【００８２】
ステップＳＴ１５において、作業者は、アクチュエータ１４が駆動している空調機器１０の識別情報をモバイル端末５０に入力する。モバイル端末５０の制御演算部５１は、入力された識別情報を記憶部５２に記憶する。また、モバイル端末５０の制御演算部５１は、入力された識別情報を、送信部を介してサーバ４０の制御演算部４１に送信する。サーバ４０の制御演算部４１は、モバイル端末５０に入力された識別情報を受信する。
【００８３】
ステップＳＴ１６において、サーバ４０の制御演算部４１は、ステップＳＴ１５で受信した識別情報を記憶部４２に記憶（更新）する。
【００８４】
ステップＳＴ１６が完了すると、ステップＳＴ１７において、モバイル端末５０の表示部５３に空調機器１０の識別情報が更新された旨の情報が表示される。
【００８５】
なお、作業者は、空調機器１０の識別情報が更新された後に再度空調機器１０の確認作業を行ってもよい。空調機器１０の確認作業が完了後、作業者は、ステップＳＴ５からステップＳＴ１７と同様に、支援システム１００を適用する空間にあるすべての空調機器１０に対して確認作業を行う（ステップＳＴ１８）。ステップＳＴ１８において、すべての空調機器１０に対して確認作業が完了すると、言い換えると、図３に示される空間α１に設置されるすべての空調機器１０のアイコンが「済」になると、ステップＳＴ１９へ進む。
【００８６】
ステップＳＴ１９において、モバイル端末５０の表示部５３には確認作業が完了した旨の表示がされる。
【００８７】
（８）特徴
（８−１）
本開示のサーバ４０は、モバイル端末５０および複数の空調機器１０に通信回線を介して接続されている。サーバ４０は、モバイル端末５０および複数の空調機器１０と通信可能である。サーバ４０は、記憶部４２と、受信部４３ａと、送信部４３ｂと、制御演算部４１と、を備える。記憶部４２は、複数の空調機器１０が設置される空間を示す空間情報と、空間における複数の空調機器１０の設置位置を示すレイアウト情報と、を含む据付位置データを記憶する。受信部４３ａは、モバイル端末５０から据付位置データの送信の要求、および、据付位置データ上の複数の空調機器１０のうちの第１の空調機器１０の設置位置確認の信号、を受信する。また、受信部４３ａは、モバイル端末５０から据付位置データの確認結果を示す信号を受信する。送信部４３ｂは、据付位置データの送信の要求を受信したときに、据付位置データを記憶部４２から読み出してモバイル端末５０に送信する。制御演算部４１は、モバイル端末５０から設置位置確認の信号を受信したときに、第１の空調機器１０のアクチュエータ１４を駆動させる。
【００８８】
これによって、サーバ４０は、作業員による据付位置確認作業を支援する。これによって、作業員による作業の工程が削減され、作業時間の短縮に寄与する。また、従来２人以上によって行われていた作業を１人で行うことが可能になり、人件費等のコストの削減が可能である。
【００８９】
（８−２）
本開示のサーバ４０の制御演算部４１は、空調機器１０のアクチュエータ１４のうち視覚的に、又は体感的に動作しているかどうかを認識できるものを駆動させる。
【００９０】
これによって、据付位置データと、空調機器１０の実際の据付位置と、が一致しているかどうかを確認する事が容易になり、作業者が据付位置確認作業を効率よく行うことができる。
【００９１】
（８−３）
本開示のサーバ４０の制御演算部４１は、モバイル端末５０から所定の操作を受信したとき、アクチュエータ１４を順次自動的に駆動させる。
【００９２】
これによって、作業者は、作業工程を削減することが可能であり、据付位置確認作業を効率的に行うことができる。
【００９３】
（８−４）
本開示の据付位置確認支援システム１００は、複数の空調機器１０の据付位置確認作業を支援するシステムである。据付位置確認支援システム１００は、モバイル端末５０と、管理装置と、を備える。管理装置は、モバイル端末５０および複数の空調機器１０と通信可能である。管理装置は、記憶部４２と、受信部４３ａと、送信部４３ｂと、制御演算部４１と、を有す。記憶部４２は、空調機器１０が設置される空間を示す情報、および、空間における複数の空調機器１０の設置位置を示すレイアウト情報、を含む据付位置データを記憶する。受信部４３ａは、モバイル端末５０から据付位置データの送信の要求、および、据付位置データ上の空調機器１０の少なくとも１台における設置位置確認の信号、を受信する。また、受信部４３ａは、モバイル端末５０から据付位置データの確認結果を示す信号を受信する。送信部４３ｂは、モバイル端末５０に対して据付位置データを送信する。制御演算部４１は、空調機器１０のアクチュエータ１４を駆動させる。モバイル端末５０は、据付位置データを表示する表示部５３を有す。モバイル端末５０は、据付位置データに基づいて、据付位置確認作業の対象となる空調機器１０を操作する指示を管理装置に送信する。管理装置は、指示を受信したときに、管理装置の記憶部４２に記憶されている空調機器１０に関するデータを参照し、制御演算部４１が指示の対象となる空調機器１０のアクチュエータ１４を駆動させる。
【００９４】
従来、この据付位置確認作業は、携帯電話を用いて複数の作業者によって行われていた。具体的には、据付位置確認作業は、２人以上の作業者が携帯電話を用いて行う。一方の作業者は、集中コントローラを操作する。他方の作業者は、複数の空調機器のうち操作された空調機器の動作を確認する。作業者は、空調機器の動作を確認した旨等を携帯電話を用いて、もう一人の作業者に伝える。このように、従来の据付位置確認作業には、複数の作業者が必要であり、それぞれの作業者が携帯電話を用いて作業を行うことで、携帯電話を用いて確認しあう等の作業工程が必要であった。
【００９５】
本開示に示す据付位置確認支援システム１００は、モバイル端末５０を用いて据付位置確認作業を行うことで、空間αの据付位置確認作業を１人で行う事が可能である。複数の作業者がいる場合には、物件βにおいての各空間αそれぞれ分かれて据付位置確認作業を行う事ができ、作業の効率がよい。また、それぞれの作業者が携帯電話を用いて確認を取り合う作業工程が削減されるため、作業効率がよい。これによって、据付位置確認作業に要する時間を削減することが可能であり、人件費等のコスト削減も可能である。
【００９６】
（８−５）
本開示の据付位置確認支援システム１００の制御演算部４１は、空調機器１０のアクチュエータ１４のうち視覚的に、又は体感的に動作しているかどうかを認識できるものを駆動させる。
【００９７】
これによって、据付位置データと、空調機器１０の実際の据付位置と、が一致しているかどうかを確認する事が容易になり、作業者が据付位置確認作業を効率よく行うことができる。
【００９８】
（８−６）
本開示の据付位置確認支援システム１００の制御演算部４１は、モバイル端末５０から所定の操作を受信したとき、アクチュエータ１４を順次自動的に駆動させる。
【００９９】
これによって、作業者は、作業工程を削減することが可能であり、据付位置確認作業を効率的に行うことができる。
【０１００】
（８−７）
本開示の据付位置確認支援方法は、管理装置が記憶している空調機器１０の据付位置データと、空調機器１０の実際の据付位置と、が一致しているかどうかを確認する据付位置確認方法である。据付位置確認支援方法は、取得ステップＳＴ３と、駆動ステップＳＴ１０と、入力ステップＳＴ１１と、更新ステップＳＴ１６と、を備える。取得ステップＳＴ３は、モバイル端末５０が、管理装置から据付位置データを取得する。駆動ステップＳＴ１０は、モバイル端末５０の表示部５３に表示された据付位置データに基づいて、据付位置確認作業の対象となる空調機器１０を駆動させる。入力ステップＳＴ１１は、駆動ステップＳＴ１０に基づいて、対象となる空調機器１０が作動した場合、据付位置が正しい旨の情報を入力する。更新ステップＳＴ１６は、駆動ステップＳＴ１０に基づいて、対象となる空調機器１０以外の空調機器１０が駆動した場合、管理装置が記憶している据付位置データを更新する。
【０１０１】
据付位置確認支援方法は、本開示に示す本開示の据付位置確認支援システム１００等用いて実行され作業員による据付位置確認作業を支援する。これによって、作業員による作業の工程が削減され、作業時間の短縮に寄与する。また、従来２人以上によって行われていた作業を１人で行うことが可能になり、人件費等のコストの削減が可能である。
【０１０２】
（９）変形例
（９−１）
本変形例において支援システム１００のサーバ４０は集中コントローラ２０に接続されているが、サーバ４０は図７に示すように集中コントローラ２０に接続されていなくてもよい。
【０１０３】
また、本実施形態においてモバイル端末５０はサーバ４０を介して集中コントローラ２０に接続されているが、モバイル端末５０は図７に示すようにサーバ４０を介さずに集中コントローラ２０に接続されていてもよい。モバイル端末５０は、近距離通信等を用いて集中コントローラ２０と通信を行ってもよい。集中コントローラ２０の記憶部２２は、据付位置データを記憶している。モバイル端末５０は、近距離通信等を用いて集中コントローラ２０から据付位置データを取得する。
【０１０４】
これによって、作業者は、モバイル端末５０を用いて効率よく据付位置確認作業を行う事が可能である。
【０１０５】
（９−２）
本実施形態において作業者は、据付位置データに表示された空調機器１０のうちの１つを選択し、据付位置確認作業を行う。作業者は、この空調機器１０の据付位置確認作業が完了すると、別の空調機器１０を選択し据付位置確認作業を行う。しかし、モバイル端末５０は、空調機器１０を順次自動的に操作する指示を管理装置に送信してもよい。具体的には、例えば、モバイル端末５０に１つの空調機器１０の据付位置が正しい旨の情報が入力されると、サーバ４０の制御演算部４１は、当該１つの空調機器１０に対応する符号の次の符号が付与されている空調機器１０に対し確認指示を送信する。例えば、空調機器Ａの据付位置確認作業を開始し、当該空調機器Ａの据付位置が正しい旨の情報が入力されると、空調機器Ｂの据付位置確認作業が開始される。モバイル端末５０の表示部には、確認指示を送信した空調機器１０のアイコンを目立たせて表示する。
【０１０６】
これによって、作業工程を削減し、作業者の手間を削減することができる。
【０１０７】
（９−３）
本実施形態の据付位置確認支援システムは、モバイル端末５０において実行される据付位置確認支援プログラムとして配信されてもよい。
【０１０８】
本開示の据付位置確認支援プログラムは、モバイル端末５０および複数の空調機器１０と通信可能である。据付位置確認支援プログラムは、記憶部４２を有する管理装置に用いられるプログラムであって、複数の空調機器１０の据付位置確認作業を支援する。据付位置確認支援プログラムは、受信ステップＳＴ１と、読み出しステップＳＴ２と、据付位置データ送信ステップＳＴ３と、設置位置確認信号受信ステップＳＴ６と、駆動信号送信ステップＳＴ１０と、確認結果受信ステップＳＴ１２，ＳＴ１５と、を実行させる。受信ステップＳＴ１は、モバイル端末５０から、据付位置データの送信の要求を受信する。据付位置データは、複数の空調機器１０が設置される空間を示す空間情報と、空間における複数の空調機器１０の設置位置を示すレイアウト情報と、を含む。読み出しステップＳＴ２は、据付位置データの送信の要求に応じて、記憶部４２から据付位置データを読み出す。据付位置データ送信ステップＳＴ３は、据付位置データをモバイル端末５０に送信する。設置位置確認信号受信ステップＳＴ６は、複数の空調機器１０のうちの第１の空調機器１０の設置位置確認を開始する信号をモバイル端末５０から受信する。駆動信号送信ステップＳＴ１０は、第１の空調機器１０のアクチュエータ１４を駆動させる駆動信号を空調機器１０に送信する。なお、駆動信号送信ステップＳＴ１０では、空調機器１０のアクチュエータ１４のうち視覚的に、又は体感的に動作しているかどうかを認識できるものを駆動させる。確認結果受信ステップＳＴ１２，ＳＴ１５は、第１の空調機器１０の据付位置データの確認結果を示す信号をモバイル端末５０から受信する。
【０１０９】
据付位置確認支援プログラムは、本開示に示す本開示のサーバ４０等において実行され作業員による据付位置確認作業を支援する。これによって、作業員による作業の工程が削減され、作業時間の短縮に寄与する。また、従来２人以上によって行われていた作業を１人で行うことが可能になり、人件費等のコストの削減が可能である。
【０１１０】
（１０）
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１１１】
１０      空調機器
１４      アクチュエータ
２０      集中コントローラ
４０      サーバ
４１      制御演算部
４２      記憶部
４３ａ    受信部
４３ｂ    送信部
５０      モバイル端末
５３      表示部
１００    据付位置確認支援システム
ＳＴ１    受信ステップ
ＳＴ２    読み出しステップ
ＳＴ３    取得ステップ，据付位置データ送信ステップ
ＳＴ６    設置位置確認受信ステップ
ＳＴ９    駆動信号送信ステップ
ＳＴ１０  駆動信号送信ステップ
ＳＴ１０  駆動ステップ
ＳＴ１１  入力ステップ
ＳＴ１２  確認結果受信ステップ
ＳＴ１４  表示ステップ
ＳＴ１５  確認結果受信ステップ，表示ステップ
ＳＴ１６  更新ステップ
【先行技術文献】
【特許文献】
【０１１２】
【特許文献１】特開平９−２１０４２９号公報
【図１】
0006958607.tif 000002
【図２】
0006958607.tif 000003
【図３】
0006958607.tif 000004
【図４】
0006958607.tif 000005
【図５】
0006958607.tif 000006
【図６】
0006958607.tif 000007
【図７】
0006958607.tif 000008